(57)【要約】【課題】  ＤＡＭＡ方式の衛星通信回線において、子局に接続されたＩＰ電話による通信を行う際に、ＩＰ電話のアドレス登録処理や発着呼処理等を行うことができる衛星通信方法、子局及び親局を得ることを目的とする。【解決手段】  子局２に接続されたＩＰ電話から発したＩｎｖｉｔｅメッセージに基づき、ＤＡＭＡ方式の制御信号フォーマットに従うＩｎｖｉｔｅ制御信号を生成し、上りＣＳＣ回線により子局２から親局１へ送信する。親局１はＩｎｖｉｔｅ制御信号を生成し、下りＣＳＣ回線により相手子局へ送信し、相手子局からの成功応答を受信すると、その成功応答に子局間の通信回線の回線情報を付加して子局２へ送信する。また、親局１は割り当てた回線情報に基づく回線割当制御信号を相手子局２へ送信する。【選択図】        図４
2008252607.tif 000002
【特許請求の範囲】
【請求項１】
衛星を経由するＣＳＣ回線により子局から回線割り当てを要求し、親局により通信回線を割り当て、上記子局と相手子局との間で衛星通信を行う回線割当型の衛星通信方法において、上記子局に接続された第１のＩＰ電話と上記相手子局に接続された第２のＩＰ電話との間で行われる音声通信の接続処理を上記親局を介して上記ＣＳＣ回線により行い、上記接続処理の完了を上記親局にて検知したことに基づいて、上記親局にて上記子局と上記相手子局との間の通信回線を割り当てることを特徴とする衛星通信方法。
【請求項２】
衛星を経由するＣＳＣ回線により回線割り当てを要求し、親局により通信回線を割り当てられて、相手子局との間で衛星通信を行う子局において、接続された第１のＩＰ電話からのメッセージに基づいて、上記ＣＳＣ回線により送信する制御信号を生成する衛星ＧＷ装置と、この衛星ＧＷ装置により生成した上記制御信号を上記ＣＳＣ回線により上記親局へ送信し、上記相手子局に接続された第２のＩＰ電話からの成功応答に基づき上記親局によって割り当てられた通信回線により、上記第１のＩＰ電話からの音声データを送信する衛星通信装置とを備えたことを特徴とする子局。
【請求項３】
衛星を経由するＣＳＣ回線により子局から送信される回線割当要求に基づき、上記子局と相手子局との間で行う衛星通信の通信回線を割り当てる親局において、上記子局に接続された第１のＩＰ電話からのメッセージに基づき上記子局から送信された制御信号を上記ＣＳＣ回線により受信し、この制御信号に基づき上記相手子局への制御信号を上記ＣＳＣ回線により送信し、上記相手子局に接続された上記第２のＩＰ電話からの成功応答を上記ＣＳＣ回線により受信する親局衛星通信装置と、この親局衛星通信装置により受信した上記成功応答に基づき上記子局と上記相手子局との間の通信回線を割り当てる回線制御装置とを備えたことを特徴とする親局。
【請求項４】
衛星を経由するＣＳＣ回線により子局から回線割り当てを要求し、親局により通信回線を割り当て、上記子局と相手子局との間で衛星通信を行う回線割当型の衛星通信方法において、上記ＣＳＣ回線及び上記通信回線とは別に制御回線を設け、上記子局に接続された第１のＩＰ電話と上記相手子局に接続された第２のＩＰ電話との間で行われる音声通信の接続処理を上記親局を介して上記制御回線により行い、上記接続処理の完了を上記親局にて検知したことに基づいて、上記親局にて上記子局と上記相手子局との間の通信回線を割り当てることを特徴とする衛星通信方法。
【請求項５】
衛星を経由するＣＳＣ回線により回線割り当てを要求し、親局により通信回線を割り当てられて、相手子局との間で衛星通信を行う子局において、接続された第１のＩＰ電話からのメッセージに基づいて、上記ＣＳＣ回線及び上記通信回線とは別に設けた制御回線により送信する制御信号を生成する衛星ＧＷ装置と、この衛星ＧＷ装置により生成した上記制御信号を上記制御回線により上記親局へ送信し、上記相手子局に接続された第２のＩＰ電話からの成功応答に基づき上記親局によって割り当てられた通信回線により、上記第１のＩＰ電話からの音声データを送信する衛星通信装置とを備えたことを特徴とする子局。
【請求項６】
衛星を経由するＣＳＣ回線により子局から送信される回線割当要求に基づき、上記子局と相手子局との間で行う衛星通信の通信回線を割り当てる親局において、上記子局に接続された第１のＩＰ電話からのメッセージに基づき上記子局から送信された制御信号を上記ＣＳＣ回線及び上記通信回線とは別に設けた制御回線により受信し、この制御信号に基づき上記相手子局への制御信号を上記制御回線により送信し、上記相手子局に接続された上記第２のＩＰ電話からの成功応答を上記制御回線により受信する親局衛星通信装置と、この親局衛星通信装置により受信した上記成功応答に基づき上記子局と上記相手子局との間の通信回線を割り当てる回線制御装置とを備えたことを特徴とする親局。
【発明の詳細な説明】
【技術分野】
【０００１】
この発明は、衛星を介した要求割当多元接続方式の衛星通信により、子局に接続されたＩＰ電話を含む端末装置の音声及びデータ通信を行う衛星通信方法、子局及び親局に関するものである。
【背景技術】
【０００２】
昨今のインターネット通信の発達により、インターネットによるデータ通信が盛んに行われるに至り、さらにインターネットを介した音声通信もＩＰ電話システムの構築技術に支えられて普及しつつある。このＩＰ電話によるインターネットを介した音声通信は、その音声通信が備えるべき同時性のため、他のデータ通信とは異なり、その音声通信の開始・変更・終了の各シグナリングプロセスに適するプロトコルが必要である。その代表的なプロトコルとして、ＲＦＣ３２６１規格及びそれに関連する規格に規定されるＳＩＰ（Ｓｅｓｓｉｏｎ  Ｉｎｉｔｉａｔｉｏｎ  Ｐｒｏｔｏｃｏｌ）があり、このアプリケーション層でのプロトコルにより、ＩＰ電話等の種々のサービスが提供される。一方、衛星通信分野においては、古くは１対１の衛星通信装置間での固定方式の通信から、要求割当多元接続方式（以下「ＤＡＭＡ方式」と呼ぶ。ＤＡＭＡはＤｅｍａｎｄ  Ａｓｓｉｇｎｍｅｎｔ  Ｍｕｌｔｉｐｌｅ  Ａｃｃｅｓｓの略である。）の通信、さらにはイリジウム計画等のＣＤＭＡ或いはＦＤＭＡ方式を用いた衛星携帯電話による通信が案出されるに至っている。衛星通信は、広域性かつ公共性の観点から、また遠隔無線通信の特殊性に基づく通信の確立性の追求により、地上における有線通信とは異なる技術発展の経緯を有するものであった。
【０００３】
衛星通信におけるＤＡＭＡ方式は、衛星通信回線を複数の子局により有効に利用するための方式であり、適宜、子局間または子局／親局間での通信に使用する通信回線を割り当てるために、通信回線とは異なる制御回線（「ＣＳＣ回線」と呼ばれる。）上で、子局から通信回線の割り当て要求を発し、この回線割当要求を親局にて受信し、親局によって通信回線を割り当てるものである。特開平１０−５１３７０号公報には、ＤＡＭＡ方式の衛星通信システムにおいて、子局に電話端末が接続されて子局間での電話による音声通信を行う場合に、親局に電話端末の固有番号の少なくとも一部、例えば、０３（東京）や０６（大阪）という部分と、中継する子局群の番号とを対応させた子局データファイルを設けた従来の技術が開示されている。この従来の技術によれば、１の子局に接続された電話端末から相手電話端末の固有番号をダイヤルしたときに、親局にて、その相手電話端末の固有番号の少なくとも一部により子局データファイルから対応する相手子局を選択し、当該１の子局と相手子局との間に衛星通信回線を割り当てることにより、当該１の子局からの発呼の際に相手子局を指定する必要がなく、操作性が向上される。
【０００４】
【特許文献１】特開平１０−５１３７０号公報
【発明の開示】
【発明が解決しようとする課題】
【０００５】
上述のように、例えばＳＩＰプロトコルは、アプリケーション層でのシグナリングプロセスを提供するものであり、各ＩＰ電話のアドレス登録処理や、セッションの確立に関わる処理が通信回線で種々生起される。ＤＡＭＡ方式の衛星通信において、ＩＰ電話を子局に接続して、子局間での衛星を介した音声通信を行う際に、このような各種処理のために通信回線が頻繁に使用されることとなり、通信回線の音声及びデータ通信の利用効率が低下するという問題点がある。また、ＩＰ電話による音声通信を行うためには、プロトコル制御のためのサーバ装置（ＳＩＰにおいては、一般にＳＩＰサーバと呼ばれるサーバ装置）が必要となり、このサーバ装置の配置とその配置によって生じる各サーバ間での通信やサーバへ入出力する処理パケットの錯綜が、衛星を介した通信回線の利用効率を低下させないよう検討しておかなければならないという課題があった。
【０００６】
この発明は、上記のような問題点または課題を解決するためになされたもので、ＤＡＭＡ方式の衛星通信回線において、子局に接続されたＩＰ電話による通信を行う際に、ＩＰ電話のアドレス登録処理や発着呼処理等を行うことができる衛星通信方法、子局及び親局を得ることを目的とする。
【課題を解決するための手段】
【０００７】
請求項１の発明に係る衛星通信方法は、衛星を経由するＣＳＣ回線により子局から回線割り当てを要求し、親局により通信回線を割り当て、上記子局と相手子局との間で衛星通信を行う回線割当型の衛星通信方法において、上記子局に接続された第１のＩＰ電話と上記相手子局に接続された第２のＩＰ電話との間で行われる音声通信の接続処理を上記親局を介して上記ＣＳＣ回線により行い、上記接続処理の完了を上記親局にて検知したことに基づいて、上記親局にて上記子局と上記相手子局との間の通信回線を割り当てるものである。
【０００８】
請求項２の発明に係る子局は、衛星を経由するＣＳＣ回線により回線割り当てを要求し、親局により通信回線を割り当てられて、相手子局との間で衛星通信を行う子局において、接続された第１のＩＰ電話からのメッセージに基づいて、上記ＣＳＣ回線により送信する制御信号を生成する衛星ＧＷ装置と、この衛星ＧＷ装置により生成した上記制御信号を上記ＣＳＣ回線により上記親局へ送信し、上記相手子局に接続された第２のＩＰ電話からの成功応答に基づき上記親局によって割り当てられた通信回線により、上記第１のＩＰ電話からの音声データを送信する衛星通信装置とを備えたものである。
【０００９】
請求項３の発明に係る親局は、衛星を経由するＣＳＣ回線により子局から送信される回線割当要求に基づき、上記子局と相手子局との間で行う衛星通信の通信回線を割り当てる親局において、上記子局に接続された第１のＩＰ電話からのメッセージに基づき上記子局から送信された制御信号を上記ＣＳＣ回線により受信し、この制御信号に基づき上記相手子局への制御信号を上記ＣＳＣ回線により送信し、上記相手子局に接続された上記第２のＩＰ電話からの成功応答を上記ＣＳＣ回線により受信する親局衛星通信装置と、この親局衛星通信装置により受信した上記成功応答に基づき上記子局と上記相手子局との間の通信回線を割り当てる回線制御装置とを備えたものである。
【００１０】
請求項４の発明に係る衛星通信方法は、衛星を経由するＣＳＣ回線により子局から回線割り当てを要求し、親局により通信回線を割り当て、上記子局と相手子局との間で衛星通信を行う回線割当型の衛星通信方法において、上記ＣＳＣ回線及び上記通信回線とは別に制御回線を設け、上記子局に接続された第１のＩＰ電話と上記相手子局に接続された第２のＩＰ電話との間で行われる音声通信の接続処理を上記親局を介して上記制御回線により行い、上記接続処理の完了を上記親局にて検知したことに基づいて、上記親局にて上記子局と上記相手子局との間の通信回線を割り当てるものである。
【００１１】
請求項５の発明に係る子局は、衛星を経由するＣＳＣ回線により回線割り当てを要求し、親局により通信回線を割り当てられて、相手子局との間で衛星通信を行う子局において、接続された第１のＩＰ電話からのメッセージに基づいて、上記ＣＳＣ回線及び上記通信回線とは別に設けた制御回線により送信する制御信号を生成する衛星ＧＷ装置と、この衛星ＧＷ装置により生成した上記制御信号を上記制御回線により上記親局へ送信し、上記相手子局に接続された第２のＩＰ電話からの成功応答に基づき上記親局によって割り当てられた通信回線により、上記第１のＩＰ電話からの音声データを送信する衛星通信装置とを備えたものである。
【００１２】
請求項６の発明に係る親局は、衛星を経由するＣＳＣ回線により子局から送信される回線割当要求に基づき、上記子局と相手子局との間で行う衛星通信の通信回線を割り当てる親局において、上記子局に接続された第１のＩＰ電話からのメッセージに基づき上記子局から送信された制御信号を上記ＣＳＣ回線及び上記通信回線とは別に設けた制御回線により受信し、この制御信号に基づき上記相手子局への制御信号を上記制御回線により送信し、上記相手子局に接続された上記第２のＩＰ電話からの成功応答を上記制御回線により受信する親局衛星通信装置と、この親局衛星通信装置により受信した上記成功応答に基づき上記子局と上記相手子局との間の通信回線を割り当てる回線制御装置とを備えたものである。
【発明の効果】
【００１３】
請求項１乃至請求項３に記載の発明によれば、子局に接続された第１のＩＰ電話と相手子局に接続された第２のＩＰ電話との間で行われる音声通信の接続処理を親局を介してＣＳＣ回線により行い、接続処理の完了を親局にて検知したことに基づいて、親局にて子局と相手子局との間の通信回線を割り当てるので、ＩＰ電話間での接続処理においては通信回線を割り当てることなく、ＩＰ電話のメッセージの処理を行うことができ、音声通信の開始前に子局間の音声通信を割り当てることができる。
【００１４】
請求項４乃至請求項６に記載の発明によれば、ＣＳＣ回線及び通信回線とは別に制御回線を設け、この制御回線上で子局に接続されたＩＰ電話間の接続処理を行うので、ＣＳＣ回線および通信回線においてＩＰ電話の接続処理が発生して通信効率が低下することを防止することができる。
【発明を実施するための最良の形態】
【００１５】
実施の形態１
【００１６】
この発明の実施の形態１に係る衛星通信方法、子局及び親局を図１乃至図４を用いて説明する。図１はこの発明の実施の形態１に係る衛星通信システムの構成を表す構成図である。図１において、１は親局、２は子局、３は通信衛星であり、４は子局２から親局１へ通信衛星３を介して制御信号を送信する上りＣＳＣ回線であり、５は親局１から子局２へ通信衛星３を介して制御信号を送信する下りＣＳＣ回線である。この上りＣＳＣ回線４により、子局２から通信回線の割り当てを要求する回線割当要求信号を親局１へ送信し、親局１において子局間の通信回線６を割り当てる。割り当てられた通信回線６の回線情報は、下りＣＳＣ回線５により回線割当応答信号として親局１から子局２および通信相手となる他の子局２へ送信される。この回線割当応答信号を受信した子局２と相手子局２との間で通信衛星３を介した通信回線６により通信が行われる。この通信回線６は親局１と子局２との間の通信においても回線割り当てされるものである。図２は、使用する回線の周波数軸上での配置を表す模式図である。図２に示すように、使用する回線は、上りＣＳＣ回線４、下りＣＳＣ回線５及び複数の通信回線６であり、上りＣＳＣ回線４及び下りＣＳＣ回線５は固定的に割り当てており、複数の通信回線６は、衛星通信システムに割り当てられた周波数帯域において、上述のように子局２からの要求に基づき親局１によって適宜割り当てられるものである。上りＣＳＣ回線４及び下りＣＳＣ回線５は元々ＤＡＭＡ方式を成立させる制御用の回線であり、この回線において後述するＩＰ電話による音声通信のための各種処理信号を送受信すると回線が混雑し、本来のＤＡＭＡ制御が十分に機能しなくなることも予測し得る。その場合には、ＩＰ電話による音声通信のための各種処理信号は、上りＣＳＣ回線４及び下りＣＳＣ回線５の代わりに、ＣＳＣ回線及び通信回線とは別に、子局１および親局２間に上り及び下り制御回線（図２には図示しない。）を設け、この制御回線において送受信するようにしてもよい。
【００１７】
次に親局１及び子局２の構成について説明する。図３はこの発明の実施の形態１に係る子局及び親局の構成を表す構成図である。図３に示す親局１において、７は通信衛星３との間で無線波の送受信、変復調及び信号処理を行う親局衛星通信装置、８はＤＡＭＡ回線制御及びＳＩＰ処理を行う回線制御装置、９はＳＩＰサーバ装置である。親局衛星通信装置７において、１０は通信衛星３との間で電波の送受信を行う送受信機であり、信号の周波数変換や増幅等を行う。１１は送受信する制御信号を変復調するＣＳＣ回線変復調部であり、ＰＳＫ（位相シフト変復調）等の各種変復調方式に基づき、制御信号を変復調する。１２は送信信号のフレーム処理及び誤り訂正符号処理、受信信号の誤り訂正処理及びフレーム処理を行う信号処理部である。回線制御装置８において、１３はＤＡＭＡ方式の回線制御を行うＤＡＭＡ回線制御部であり、上りＣＳＣ回線４により子局２から受信する制御信号による制御処理、及び下りＣＳＣ回線５により子局２へ送信する制御信号の生成を行う。１４は子局２からの制御信号がＳＩＰメッセージである場合に、ＳＩＰメッセージに基づく処理を行うＳＩＰメッセージ処理部である。ＳＩＰサーバ装置９において、１５は子局２からのＲｅｇｉｓｔｅｒ（レジスター：登録）メッセージを受け付けるレジストラサーバ、１６はレジストラサーバ１５からの登録情報を記録するロケーションサーバ、１７は子局２からのＩｎｖｉｔｅメッセージに対し、ロケーションサーバ１６に着信側情報を問い合わせ、着信側へインバイトメッセージを転送するプロキシサーバである。
【００１８】
図３に示す子局２および接続される装置の構成について説明する。１８はＩＰ端末、１９はＩＰ電話であり、ＩＰ端末１８は他の子局２に接続されるＩＰ端末１８との間で主としてデータ通信を行うための装置であり、ＩＰ電話１９は他の子局２に接続されるＩＰ電話１９との間で主として音声通信を行う装置である。このＩＰ端末１８とＩＰ電話１９はインターネットプロトコルに従うパケット通信が行える装置であり、ＩＰ端末１８には音声通信機能を持たせることも可能であり、そのようなＩＰ端末１８の音声通信機能は本発明にいうＩＰ電話に含まれるものとする。また、子局２はインタフェース装置２０（以下、Ｉ／Ｆ２０と記載する。）を介して、外部の他ネットワーク２２とも接続され、この接続には、一般にプロキシサーバ２１を経由する。図３に示す子局２において、２３は通信衛星３との間で無線波の送受信、変復調及び信号処理を行う衛星通信装置、２４はＩＰ端末１８やＩＰ電話１９による通信を子局２の衛星通信装置２３を介して行うために、データや音声データの伝送処理を行う衛星ゲートウェイ装置（以下、衛星ＧＷ装置と記載する。）である。衛星通信装置２３において、２５は通信衛星３との間で電波の送受信を行う送受信機であり、信号の周波数変換や増幅等を行う。２６は送受信する制御信号を変復調するＣＳＣ回線変復調部であり、ＰＳＫ（位相シフト変復調）等の各種変復調方式に基づき、制御信号を変復調する。２７は送受信する通信信号を変復調する通信回線変復調部であり、ＰＳＫ（位相シフト変復調）等の各種変復調方式に基づき、通信信号を変復調する。２８は送信信号のフレーム処理及び誤り訂正符号処理、受信信号の誤り訂正処理及びフレーム処理を行う信号処理部である。２９はＣＳＣ回線変復調部２６により受信した回線割当応答信号に基づき通信回線変復調部２７の送受信周波数や帯域の制御を行う制御部である。衛星ＧＷ装置２４において、３０はＩＰ端末１８やＩＰ電話１９による通信における伝送データの識別を行い、衛星通信装置２３と、ＩＰ端末１８及びＩＰ電話１９との間で伝送データの受け渡しを行う伝送制御部であり、３１は伝送されるデータがＳＩＰプロトコルによるメッセージである場合に、そのメッセージ処理を行うＳＩＰ処理部である。３２はＳＩＰ処理部３１にて処理するＳＩＰメッセージに含まれるＩＰ電話１９の識別情報を記憶する識別情報記憶部である。
【００１９】
図３に示す構成は、ＩＰ電話の処理がＳＩＰプロトコルにより行われる例について示すものであるが、同種のＩＰ電話用通信処理を行うプロトコルに代替することができ、例えば、図３に示す、ＳＩＰサーバ装置９は、その代替されるプロトコルの実行に用いられるサーバ装置でよく、また親局１内のＳＩＰメッセージ処理部１４及び子局２内のＳＩＰ処理部３１はそれぞれ、代替されるプロトコルにおいて、ＳＩＰメッセージ処理部１４及びＳＩＰ処理部３１と同様な処理を行うものとすればよい。
【００２０】
図３に図示しないが、親局１の親局衛星通信装置７内には、子局２の衛星通信装置２３内の通信回線変復調部２７に相当する回路部が、親局１内には、子局２の衛星ＧＷ装置２４に相当する装置があり、親局１に接続されるＩＰ端末やＩＰ電話、またインタフェースを介した他のネットワークの装置が親局１を利用して、通信衛星を介した通信回線６により、複数の子局に接続されたＩＰ端末等との間で通信が行えるものである。この親局１において、ＩＰ端末等に提供される機能を果たす回路及び装置は、子局１に該当するものであると考えればよい。
【００２１】
この親局１及び子局２の動作について、まず子局に接続されたＩＰ端末１８間での通信衛星３を介したデータ通信を行う場合の動作を説明する。伝送制御部３０はＩＰ端末１８からの伝送データをバッファリングしながら信号処理部２８へ伝送しており、伝送制御部３０と信号処理部２８へ伝送できる伝送データ量は、衛星通信装置２３に割り当てられた通信回線の帯域幅に依存する。子局２は相手子局２とのデータ通信が必要になると、親局１に対して回線割当要求信号を上りＣＳＣ回線４により送信する。この回線割当要求信号は相手子局を特定する情報を含むものであり、伝送制御部３０にて生成され、信号処理部２８で信号処理されてＣＳＣ回線変復調部２６により変調され、送受信機２５により送信される。親局１は上りＣＳＣ回線４をモニタしており、回線割当要求信号を受信復調し、信号処理して再生する。親局２の信号処理部１２により再生されたＤＡＭＡ回線制御部１３に入力され、ＤＡＭＡ回線制御部１３はシステム専用帯域（通信システムに与えられる使用できる周波数帯域のこと）中の空き領域を検索し、空き領域に通信回線を割り当て、その中心周波数と帯域幅の情報、及び当該回線割当要求をした子局２と相手子局２とを特定する情報を含む回線割当応答信号を生成し、信号処理部１２へ出力する。回線割当応答信号は、信号処理部１２により信号処理され、ＣＳＣ回線変復調部１１により変調され、送受信機１０から下りＣＳＣ回線５により送信される。子局２と相手子局２は、下りＣＳＣ回線５をモニタしており、回線割当応答信号を受信すると、これを復調し再生して割り当てられた中心周波数と帯域幅に通信回線変復調部２９を設定して子局間での通信を行う。ここで割り当てられる通信回線は子局２から相手子局２への送信回線、相手子局２から子局２への送信回線である。子局２間での通信が終了すると、子局２の伝送制御部２０にて通信終了信号が生成されて、上りＣＳＣ回線４により親局２へ送信され、親局２は割り当てていた通信回線を開放し、システム専用帯域中の空き領域とする。子局２間での通信は１対のＩＰ端末１８間で行われる場合だけでなく、当該子局２間で複数対のＩＰ端末１８間で行われる場合もあり、ＩＰ端末１８の対の増減によりデータ伝送量が増減する。データ伝送量が増減した場合には、子局２の伝送制御部３０により帯域変更要求信号を生成して上りＣＳＣ回線４により送信し、親局２にて帯域変更要求信号を受信して、ＤＡＭＡ回線制御部１３にて通信回線の再割り当てを行うようにしてもよい。親局２のＤＡＭＡ回線制御部１３は回線再割当応答信号を生成して下りＣＳＣ回線５により送信し、これを受信した子局２及び相手子局２は通信周波数帯域を変更する。このような通信回線の再割り当てによって、システム専用帯域の柔軟な運用が行えるものである。なお、親局１が子局２との間で通信を開始する場合の回線割当は、直接親局１のＤＡＭＡ回線制御部１３で行い、回線割当応答信号を相手子局２へ下りＣＳＣ回線５により送信すればよい。
【００２２】
次に、この親局１及び子局２の動作について、子局に接続されたＩＰ電話１９間での通信衛星３を介した音声通信を行う場合の動作を説明する。音声通信を行うためのプロトコルがＳＩＰである場合を例にとって説明するが、他のＩＰ電話通信用のプロトコルについても同様な動作となる。まず、ＩＰ電話１９がＳＩＰプロトコルに基づいて音声通信を開始する前に、ＩＰ電話１９を子局２に接続したときに静的若しくは動的に割り当てられるＩＰアドレス等のＩＰ電話１９の情報を親局１のＳＩＰサーバ装置９に登録しておくものとする。この登録処理は、ＩＰ電話１９からのＲｅｇｉｓｔｅｒメッセージに基づき、子局２から親局１への登録要求により行い、親局１において、ＳＩＰサーバ装置９内のレジストラサーバ１５によって登録処理を受け付け、ロケーションサーバ１６にＩＰ電話１９のＩＰアドレス等の情報を登録する。登録される情報は、各ＩＰ電話１９のＳＩＰ  ＵＲＩ、ＩＰアドレス、及び所属する子局２の子局番号とが含まれるものとする。ロケーションサーバ１６が、このような対応関係を記憶することができない場合には、ロケーションサーバ１６にはＩＰ電話１９のＳＩＰ  ＵＲＩとＩＰアドレスを登録し、ＳＩＰメッセージ処理部１４にＩＰ電話１９のＳＩＰ  ＵＲＩ、及び所属する子局番号を記憶する。子局２から親局１への登録要求は、例えば、子局２において、登録用の制御信号を作成し、上りＣＳＣ回線４により親局１へ送信することができ、子局２と親局１との間で通信回線６を割り当てることなく実行できる。
【００２３】
次に、ＩＰ電話１９から相手ＩＰ電話１９を特定した呼出信号が発せられた場合の処理について説明する。このＩＰ電話１９から発せられる呼出信号に対する処理のうち、以下ではＳＩＰプロトコルによるＩｎｖｉｔｅメッセージが発せられた場合の処理を例にとり説明する。図４はＩｎｖｉｔｅメッセージに対する処理を表す処理シーケンス図である。ステップＳ１によりＩＰ電話１９の操作者が相手先をダイヤルすると、ＩＰ電話１９にてＩｎｖｉｔｅメッセージが生成され、ステップＳ２により衛星ＧＷ装置２４内の伝送制御部３０へ送信される。この段階でのＩｎｖｉｔｅメッセージは、相手ＩＰ電話１９のＩＰアドレスは不明であるため、例えば、親局１内のＳＩＰサーバ装置９のＩＰアドレスなどに設定されている。衛星ＧＷ装置２４内の伝送制御部３０は、トランスポート層で伝送されてくるデータ中から、上記のＩＰ電話１９が発したＳＩＰメッセージを識別し、ＳＩＰ処理部３１へ転送する。この識別方法の一例として、トランスポート層のプロトコルによるパケット記述内容（ＩＰアドレスやポート番号、プロトコル番号等の内容）により識別する方法が考えられる。即ち、ＩＰ電話１９が発するＩｎｖｉｔｅメッセージの宛先アドレスやポート番号、プロトコル番号が特定の値（例えば、親局１内のＳＩＰサーバ装置９のＩＰアドレス、子局２のＩＰアドレスや、マルチキャストアドレス等）を示していることに基づいて、この特定の値を検知することにより、ＳＩＰメッセージであると識別できる。また、ＳＩＰメッセージは、一般にリクエスト行、ステータス行、ヘッダー部、空行、ボディ部により構成されており、リクエスト行やヘッダー部等に記述されるＳＩＰプロトコル特有の記述、例えば、ＲｅｇｉｓｔｅｒやＩｎｖｉｔｅ、ＳＩＰバージョン等の記述を検知することにより、ＳＩＰメッセージであることを識別するようにしても良く、伝送制御装置３０は、種々の方法により、ＩＰ端末１８及びＩＰ電話１９からなる端末装置群から伝送されてくるパケットのうち、ＩＰ電話１９からのパケットがＳＩＰメッセージであることを識別するようにすることができる。ＳＩＰ処理部３１は、伝送制御部３０から転送されたＩｎｖｉｔｅメッセージについて、その内容のリクエスト行に記述された“Ｉｎｖｉｔｅ”を検知し、相手ＩＰ電話１９のＩＰアドレスを上りＣＳＣ回線４により問い合わせるためのＩｎｖｉｔｅ制御信号を生成する。このＩｎｖｉｔｅ制御信号は、ＩｎｖｉｔｅメッセージをＤＡＭＡ方式の制御信号フォーマットに変換したものであり、自局の子局ＩＤ、信号識別、信号長、自局の子局番号、相手ＩＰ電話１９のＳＩＰ  ＵＲＩを含むものとする。信号識別は、制御信号がＳＩＰメッセージのうちＩｎｖｉｔｅメッセージであることを示す符号とする。以下、ＳＩＰプロトコルに従う信号は“〜メッセージ”と記載し、ＤＡＭＡ方式の制御信号は“〜制御信号”と記載する。また、ＳＩＰ処理部３１は、その後のＳＩＰメッセージの処理に必要となる情報（発呼したＩＰ電話１９のＳＩＰ  ＵＲＩ、ドメイン名、プロキシサーバのＩＰアドレス、子局内でのＩＰ電話１９の通し番号、相手ＩＰ電話のＳＩＰ  ＵＲＩ等の情報）を識別情報記憶部３２へ出力する。Ｉｎｖｉｔｅ制御信号のデータ長が上りＣＳＣ回線４において１の制御信号に許されるデータ長より長い場合には、複数個の制御信号に分けて送信してもよい。Ｉｎｖｉｔｅ制御信号は伝送制御部３０、信号処理部２８、ＣＳＣ回線変復調部２６を経由して送受信機２５から、図４に示すステップＳ３において、上りＣＳＣ回線４により送信される。
【００２４】
親局衛星通信装置７は上りＣＳＣ回線４によりＩｎｖｉｔｅ制御信号を受信し、これを復調および信号処理して、ステップＳ４により、回線制御装置８へ出力する。回線制御装置８内のＳＩＰメッセージ処理部１４はＩｎｖｉｔｅ制御信号に基づき相手ＩＰ電話１９のＳＩＰ  ＵＲＩを含むＩｎｖｉｔｅメッセージを再生し、ステップＳ５によりＳＩＰサーバ装置９内のプロキシサーバ１７へ出力する。プロキシサーバ１７はＩｎｖｉｔｅメッセージを受けて、ロケーションサーバ１６へ相手ＩＰ電話１９のＳＩＰ  ＵＲＩに対応するＩＰアドレス、その相手子局１９が接続されている子局番号を検索するように照会する。ロケーションサーバ１６は、相手ＩＰ電話１９のＩＰアドレス、子局番号をプロキシサーバ１７へ返答し、プロキシサーバ１７は、相手ＩＰ電話１９のＩＰアドレス、子局番号を含む応答メッセージを生成して、ステップＳ６により、ＳＩＰメッセージ処理部１４へ出力する。ＳＩＰメッセージ処理部１４は、プロキシサーバ１７からの応答メッセージに基づき、Ｉｎｖｉｔｅ制御信号を生成し、ステップＳ７により、親局衛星通信装置７へ出力する。このＩｎｖｉｔｅ制御信号には、信号識別、発信元の子局番号、信号長、相手子局の子局番号、相手ＩＰ電話１９のＳＩＰ  ＵＲＩ、ＩＰアドレスを含むものとする。データ長が長い場合には、Ｉｎｖｉｔｅ制御信号を複数に分けてもよい。親局衛星通信装置７は、ＳＩＰメッセージ処理部１４より入力されたＩｎｖｉｔｅ制御信号を、ステップＳ８において、下りＣＳＣ回線５により相手子局へ送信する。相手子局２では、衛星通信装置２３により下りＣＳＣ回線５によりＩｎｖｉｔｅ制御信号を受信し、衛星ＧＷ装置２４により、Ｉｎｖｉｔｅ制御信号から相手ＩＰ電話１９のＩＰアドレスを読出し、ＳＩＰプロトコルによるＩｎｖｉｔｅメッセージを復元し、ステップＳ９において、Ｉｎｖｉｔｅメッセージを相手ＩＰ電話１９へ送信する。
【００２５】
一連の処理は、子局２に接続されたＩＰ電話１９が発するＳＩＰプロトコルに従うＩｎｖｉｔｅメッセージを、子局２の衛星ＧＷ装置２４において、ＤＡＭＡ方式のＣＳＣ回線用のＩｎｖｉｔｅ制御信号に変換し、上りＣＳＣ回線４により親局１へ送信し、親局１内でＳＩＰプロトコルに従うＩｎｖｉｔｅメッセージを再生し、相手ＩＰ電話のＩＰアドレスをＳＩＰサーバ装置９に問い合せる。その後、ＳＩＰサーバ装置９からの応答メッセージに基づき、相手子局を特定したＤＡＭＡ方式によるＩｎｖｉｔｅ制御信号を生成し、相手子局２へ下りＣＳＣ回線５により送信し、相手子局２にてＩｎｖｉｔｅ制御信号からＳＩＰプロトコルに従うＩｎｖｉｔｅメッセージを再生し、相手ＩＰ電話１９へ送信する。この処理により、衛星回線上では通信回線６を割り当てることなくＣＳＣ回線５によりＩｎｖｉｔｅメッセージの受け渡しをすることができ、通信回線６がＳＩＰメッセージの生起の度ごとに回線割り当てされることを抑制され、することができる。
【００２６】
親局１はステップＳ８によりＩｎｖｉｔｅ制御信号を送信した後、ステップＳ１０において、ＳＩＰサーバ装置９により応答メッセージである１００Ｔｒｙｉｎｇが生成され、ＳＩＰメッセージ処理部１４にて応答制御信号（１００Ｔｒｙｉｎｇ）を生成してステップＳ１１により親局衛星通信装置７へ出力する。親局衛星通信装置７は、ステップＳ１２において、下りＣＳＣ回線５により応答制御信号（１００Ｔｒｙｉｎｇ）を発呼側の子局２へ送信する。子局２においては、衛星通信装置２３により応答制御信号（１００Ｔｒｙｉｎｇ）を受信し、応答メッセージ（１００Ｔｒｙｉｎｇ）を再生し、ステップＳ１３により発呼したＩＰ電話１９へ送信する。
【００２７】
一方、ステップＳ９において相手ＩＰ電話１９で受信されたＩｎｖｉｔｅメッセージに対して、相手ＩＰ電話１９は、ステップＳ１４において、応答メッセージである１８０Ｒｉｎｇｉｎｇを相手子局２へ送信する。相手子局２の衛星ＧＷ装置２４は応答メッセージ（１８０Ｒｉｎｇｉｎｇ）に基づき、応答制御信号（１８０Ｒｉｎｇｉｎｇ）を生成し、ステップＳ１５において、上りＣＳＣ回線４により親局２へ送信する。親局衛星通信装置７は上りＣＳＣ回線４により応答制御信号（１８０Ｒｉｎｇｉｎｇ）を受信復調して回線制御装置８へ出力する。回線制御装置８内のＳＩＰメッセージ処理部１４は、応答制御信号（１８０Ｒｉｎｇｉｎｇ）に基づいて、応答メッセージ（１８０Ｒｉｎｇｉｎｇ）を生成し、ＳＩＰサーバ装置９へ出力し、プロキシサーバ１７により応答メッセージは発呼側のＩＰ電話１９あてに転送され、再びＳＩＰメッセージ処理部１４にて応答制御信号（１８０Ｒｉｎｇｉｎｇ）が生成され、ステップＳ１６において、下りＣＳＣ回線５により、発呼側の子局２へ送信される。発呼側の子局２内の衛星ＧＷ装置２４は受信復調された応答制御信号（１８０Ｒｉｎｇｉｎｇ）に基づき、応答メッセージ（１８０Ｒｉｎｇｉｎｇ）を生成し、発呼側のＩＰ電話１９へステップＳ１８により送信する。発呼側のＩＰ電話においては、この応答メッセージ（１８０Ｒｉｎｇｉｎｇ）により、相手ＩＰ電話の呼び出し中であることがわかる。
【００２８】
相手ＩＰ電話１９が呼び出しに応じると、相手ＩＰ電話１９にて成功応答メッセージである２００ＯＫが生成され、この応答メッセージは、ステップＳ１９により、相手ＩＰ電話１９から相手子局２へ送信される。相手子局２の衛星ＧＷ装置２４は成功応答メッセージ（２００ＯＫ）に基づき、応答制御信号（２００ＯＫ）を生成し、ステップＳ２０において、上りＣＳＣ回線４により親局２へ送信する。親局衛星通信装置７は上りＣＳＣ回線４により応答制御信号（２００ＯＫ）を受信復調して回線制御装置８へ出力する。回線制御装置８内のＳＩＰメッセージ処理部１４は、応答制御信号（２００ＯＫ）に基づいて、成功応答メッセージ（２００ＯＫ）を生成し、ＳＩＰサーバ装置９へ出力し、プロキシサーバ１７により成功応答メッセージは発呼側のＩＰ電話１９あてに転送され、再びＳＩＰメッセージ処理部１４にて応答制御信号（２００ＯＫ）が生成される。ＳＩＰメッセージ処理部１４は、成功応答メッセージ（２００ＯＫ）によってＩＰ電話間の接続処理が完了したことを検知することができ、後の回線割当処理を短縮するために、ＤＡＭＡ回線制御部１３へ子局２と相手子局２との間の通信回線の割当を要求し、子局２向けの制御信号として、ＤＡＭＡ回線制御部１３により割り当てられた通信回線の回線情報を応答制御信号（２００ＯＫ）に付加する。またＳＩＰメッセージ処理部１４は、相手子局２向けの制御信号として、割り当てられた通信回線の回線情報による回線割当制御信号を生成する。ステップＳ２１において、回線情報が付加された応答制御信号（２００ＯＫ）は、下りＣＳＣ回線５により発呼側の子局２へ送信され、回線割当制御信号は相手子局２へ送信される。発呼側の子局２内の衛星ＧＷ装置２４は受信復調された応答制御信号（２００ＯＫ）に基づき、成功応答メッセージ（２００ＯＫ）を生成し、発呼側のＩＰ電話１９へステップＳ２２により送信し、応答制御信号（２００ＯＫ）から回線情報を読み出し、回線情報に基づき相手子局２との通信を行う通信回線を設定する。相手子局２はステップＳ２１により受信復調した回線割当制御信号から回線情報を読み出し、発呼側の子局２との通信を行う通信回線を設定する。発呼側のＩＰ電話においては、応答メッセージ（２００ＯＫ）により、相手ＩＰ電話１９が呼び出しに応じたことがわかる。
【００２９】
発呼側のＩＰ電話１９は、ステップＳ２２により応答メッセージ（２００ＯＫ）を受信すると、応答メッセージ（Ａｃｋ）を生成し、ステップＳ２３により、子局２へ送信する。子局２の衛星ＧＷ装置２４は応答メッセージ（Ａｃｋ）に基づき、応答制御信号（Ａｃｋ）を生成し、ステップＳ２４において、上りＣＳＣ回線４により親局２へ送信する。親局衛星通信装置７は上りＣＳＣ回線４により応答制御信号（Ａｃｋ）を受信復調して回線制御装置８へ出力する。回線制御装置８内のＳＩＰメッセージ処理部１４は、応答制御信号（Ａｃｋ）に基づいて、応答メッセージ（Ａｃｋ）を生成し、ＳＩＰサーバ装置９へ出力し、プロキシサーバ１７により応答メッセージは相手ＩＰ電話１９あてに転送され、再びＳＩＰメッセージ処理部１４にて応答制御信号（Ａｃｋ）が生成され、ステップＳ２５において、下りＣＳＣ回線５により、相手子局２へ送信される。相手子局２内の衛星ＧＷ装置２４は受信復調された応答制御信号（Ａｃｋ）に基づき、応答メッセージ（Ａｃｋ）を生成し、相手ＩＰ電話１９へステップＳ２６により送信する。相手ＩＰ電話１９においては、この応答メッセージ（Ａｃｋ）により、ＩＰ電話間の音声通信が開始されたことがわかる。
【００３０】
以上のように、ＩｎｖｉｔｅメッセージによるＩＰ電話の発呼動作ののち、音声通信の開始に至るまでのＳＩＰメッセージ（リクエストメッセージ及び上記各種応答メッセージ）を、衛星を経由する回線上は、上りＣＳＣ回線４及び下りＣＳＣ回線５を用いて送受信するので、通信回線６を新たに回線割り当てせずにこれらの処理を行うことができ、通信回線６がＳＩＰメッセージの生起の度ごとに回線割り当てされることを抑制することができる。また、相手子局２に接続された相手ＩＰ電話１９からの成功応答メッセージにより親局１は接続処理が完了したことを検知し、子局２間での通信回線を割り当てるので、回線割当のための子局と親局間の回線割当処理を経ることなく、音声通信の開始前に子局間の音声通信を割り当てることができる。
【００３１】
また、ＩＰ電話による音声通信のための各種処理信号は、上りＣＳＣ回線４及び下りＣＳＣ回線５の代わりに、ＣＳＣ回線及び通信回線とは別に設けた子局１および親局２間の上り及び下り制御回線（図２には図示しないが、上りＣＳＣ回線４及び下りＣＳＣ回線５に相当する。）を設け、この制御回線により送受信するようにしてもよく、上記のＩｎｖｉｔｅメッセージに対するＩｎｖｉｔｅ制御信号及び応答信号をこの制御回線により子局２と親局１との間で送受信することにより、ＣＳＣ回線および通信回線においてＩＰ電話の接続処理が大量に発生しＤＡＭＡの回線制御機能が損なわれて通信効率が低下することを防止することができる。
【図面の簡単な説明】
【００３２】
【図１】この発明の実施の形態１に係る衛星通信システムの構成を表す構成図である。
【図２】使用する回線の周波数軸上での配置を表す模式図である。
【図３】この発明の実施の形態１に係る子局及び親局の構成を表す構成図である。
【図４】Ｉｎｖｉｔｅメッセージに対する処理を表す処理シーケンス図である。
【符号の説明】
【００３３】
１  親局
２  子局
３  通信衛星
４  上りＣＳＣ回線
５  下りＣＳＣ回線
６  通信回線
７  親局衛星通信装置
８  回線制御装置
９  ＳＩＰサーバ装置
１６  ロケーションサーバ
１７  リダイレクトサーバ
１９  ＩＰ電話
２３  衛星通信装置
２４  衛星ＧＷ装置
【図１】
2008252607.tif 000003
【図２】
2008252607.tif 000004
【図３】
2008252607.tif 000005
【図４】
2008252607.tif 000006